(57)【特許請求の範囲】
【請求項１】
薬剤を処方に基づく一日単位の用法指示に従って分包する薬剤の分包機の制御方法において、特定の時期には服用を見合わせるという服用見合せ時期を符号化して設定してなり、曜日と服用時期との行列表示における見合せタイミング指示で表わされる見合せ指示と、前記用法指示とをあわせてなる分包指示を薬剤ごとに分包機に指示し、分包機が、当該薬剤ごとの分包指示に従って分包区画ごとに各薬剤をあわせて分包処理することを特徴とする薬剤の分包機の制御方法。
【請求項２】
薬剤を分包処理する分包機と分包機を制御する制御装置とを含む分包システムであって、
制御装置は、処方に基づく一日単位の用法指示と、特定の時期には服用を見合わせるという服用見合せ時期を符号化して設定してなり、曜日と服用時期との行列表示における見合せタイミング指示で表わされる見合せ指示とが入力設定され、用法指示および見合わせ指示をあわせてなる分包指示を薬剤ごとに分包機に指示し、
分包機は、当該薬剤ごとの分包指示に従って分包区画ごとに各薬剤をあわせて分包処理することを特徴とする分包システム。
【発明の詳細な説明】
【０００１】
【発明の属する技術分野】
本発明は、錠剤等の薬剤の分包機の制御方法及び分包システムに関する。さらに詳しくは、特に病院等において、非定型的用法の処方、又は、定型的用法及び非定型的用法が混在する処方に対しても分包処理のできる、薬剤の分包機の制御方法及び分包システムに関する。
【０００２】
【従来の技術】
一般に、病院の薬局等においては、処方に基づく用法に従って各種の錠剤やアンプル等(以下、総称して薬剤という)を錠剤包装機、アンプル払出し機等によって薬袋等の収容体に分包し、分包品という形で患者に供与することが行われている。
【０００３】
ここに、処方とは、医師等が患者に対して行なう投薬等の治療行為の指示全体をいう。また、用法とは、例えば、起床時、毎食事の前後、就寝前等のうちの何れか、又は、その適宜の組合せのタイミングにＡ剤をＸ錠ずつ服用せよ、という薬剤の服用方法の指定をいう。また、医師等による処方に従って、薬剤を払出しし、服用タイミングごとに対応して設定する分包区画に合わせて帯状の薬包紙に薬剤を封入し各分包区画ごとにシールして自動的に分包する処理を分包処理といい、この処理を行なう装置を分包機という。
【０００４】
ところで、近年、成人病のような複合的な疾病の増加や、医療技術の専門細分化傾向に伴って、一人の患者が複数科にまたがって受診したりする等して、一人の患者の受診状況が複雑化している傾向が認められる。
【０００５】
なかでも、一人の患者が、例えば、腎臓の人工透析を受けながら心臓疾患に対する薬剤を服用するような場合に、Ｂ薬品は毎日毎食後服用するのに対し、Ａ薬品は、例えば、［表１］のように特定のタイミングには服用しないという、時間間隔的にみて互いに相違した態様の処方を受けるという場合が増えてきている。
【表１】
0004571254.tif 000002
【０００６】
しかしながら、従来の分包機は、Ｂ薬品の如き食事時間帯単位のような定型的な処方に対して分包処理するという構成が採用されている。これは、Ｂ薬品の如き食事時間帯単位の服用という処方が、一日単位の用法の単純な繰返しというように極めて定型化されているが故に分包処理を自動化できたことによる。
【０００７】
図９は、従来の分包機の一例を示す一部破断斜視図であり、図１０は、従来の分包機による薬剤のシール装置周辺を概略的に示しており、図１１は、従来の分包品の概要を示す概略平面図である。
【０００８】
図９に示す分包機90xにおいて、その略上半分に払出ユニット40、略下半分に図１０に示すようなシール装置50がそれぞれ具備されている。払出ユニット40には、薬剤を種類毎に収納している薬剤カセッタ141が複数個具備され、その薬剤カセッタ141にそれぞれ種々の薬剤が保管されており、処方に基づいて薬剤師が用法を設定してなる一日ごとの用法の繰返しに従って所要の薬剤が順次シール装置50に払出しされる。
【０００９】
図１０は、従来のシール装置50の主要部を概略的に示しており、シール装置50は、帯状の薬包紙である分包紙101を区切って薬剤を封入するものであり、例えば、熱シールにより分包紙101を封着するヒートローラ対を具備している。図１０では、ヒートローラ対のうち、一方のヒートローラ102 のみを示している。
【００１０】
帯状の薬包紙が袋折り状態とされた分包紙101 に薬剤(図示せず)が、錠剤カセッタ141からシュート111 を経て投入されて、ヒートローラ102 自身が回転機構112 及び113 によって回転されて分包紙101を送りつつ、１回転ごとに分包区画に従って１分包101aずつ封着され封着された分包紙にミシン目101bが形成されるように構成されている。
【００１１】
このような分包機において、前述したように、毎食事時間帯ごとという服用刻限、薬剤の内容、数量という一日の用法が指定され、この用法を用法パターンとし、この用法パターンと、その用法パターンの何日分という繰返し回数とが設定されて分包処理が行われる。この設定は、分包機の制御装置において行われ、分包機に送られて分包処理される。
【００１２】
従来の分包機は、前述したＡ薬品のような非定型的の用法に対する分包処理はできないので、非定型的用法の処方の場合、及び、定型的用法と非定型的用法とが混在する期間のある処方の場合は、いわゆる手撒き作業という手作業で分包処理せざるを得ない。そして、この手作業の分包処理は、入れ間違いのミスや、手間がかかる等の問題で、円滑に調剤業務を行なえないという問題が生じる。
【００１３】
即ち、定型的用法として自動化された分包処理内容と、非定型的用法に対する手作業の分包処理内容とを混同することなく、しかも両者をうまく整合させて手際よく短時間に処理するには、ベテランの薬剤師が分包処理を担当することが好ましいが、この処理のできる薬剤師は、ごく少数の者に限られる。
【００１４】
それは、治療内容と処方内容とに精通していることを要し、しかも、通常は自動化されている分包機を前にして勝手の異なる手作業で分包作業を正確に何日分も繰返して分包処理することを要するという、互いに性格の異なる２つの業務能力を備える必要があるにもかかわらず、現実問題としては、２つの業務能力を有することは、なかなか両立し難いからである。
【００１５】
【発明が解決しようとする課題】
そこで、本発明は、前述した状況に鑑みてなされたものであり、非定型的用法の処方の分包処理、並びに、定型的用法及び非定型的用法が混在した処方の分包処理が自動的にできる薬剤の分包機の制御方法及び分包システムを提供することを課題とする。
【００１６】
【課題を解決するための手段】
前述した課題を解決すべく、本発明の請求項１に係わる薬剤の分包機の制御方法は、特定の時期には服用を見合わせるという服用見合せ時期を符号化して設定してなり、曜日と服用時期との行列表示における見合せタイミング指示で表わされる見合せ指示と、前記用法指示とをあわせてなる分包指示を薬剤ごとに分包機に指示し、分包機が、当該薬剤ごとの分包指示に従って分包区画ごとに各薬剤をあわせて分包処理することを特徴とする。
また、本発明の請求項２に係わる薬剤の分包機の分包システムは、薬剤を分包処理する分包機と分包機を制御する制御装置とを含む分包システムであって、制御装置は、処方に基づく一日単位の用法指示と、特定の時期には服用を見合わせるという服用見合せ時期を符号化して設定してなり、曜日と服用時期との行列表示における見合せタイミング指示で表わされる見合せ指示とが入力設定され、用法指示および見合わせ指示をあわせてなる分包指示を薬剤ごとに分包機に指示し、分包機は、当該薬剤ごとの分包指示に従って分包区画ごとに各薬剤をあわせて分包処理することを特徴とする。
【００１７】
当該方法及び分包システムによれば、非定型的用法の処方の場合、又は、非定型的用法が定型的用法とともに同一の患者に対して混在する処方の場合であっても分包機が自動的に所要の薬剤を分包処理でき、手撒き作業を要しない。
【００２０】
【発明の実施の形態】
以下、添付図面を参照しつつ、本発明の実施の形態について説明する。
【００２１】
実施の形態１
図１は、本実施の形態に係わる分包システム(以下、単にシステムということがある)のうち、分包機90及び制御装置20の構成を機能的側面で区分して示すブロック図であり、図２は、複数台の分包機が接続された場合の本システムの構成概要を示すブロック図である。図３は、本実施の形態に係わる処方内容設定画面を示す概略構成図であり、図４は、分包指示形態の一例を説明する概略構成図であり、図５は、図４に示す分包指示形態を実現する分包データを示すブロックダイヤグラムである。
【００２２】
図１に示すように、本システムは、制御装置20と、ドライバ91、払出ユニット40及びシール装置50を備えた分包機90とで構成され、制御装置20から分包機90のドライバ91に分包データ30が送られ、シール装置50で分包される。
【００２３】
また、本システムは、図２に示すように、制御装置20で、複数台の分包機90a〜90dを制御し、効率的に分包処理することができる。
【００２４】
薬剤師は、処方に基づいて、図３に示す如く、表示装置11の表示に従って処方設定12、システム設定13、患者設定14を行ない、払出ユニット40及びシール装置50に動作指示するための処方データ(用法指示、見合せ指示)を設定する。見合せ指示は、非定型的用法を動作指示するためのものである。処方データの入力設定要領等については後述する。また、この表示装置11では、後述するように、画面の切替によって、分包機の分包状態(適正動作のトレース)及びエラー発生状況等の分包機情報がモニタできる。
【００２５】
表示装置11の他、制御装置20には、コントローラ21、記憶手段22、解析手段23、及び、ライブラリ24が備えられてなる。本発明においては、後述するデータ解析要求の機能がコントローラ21に付加されており、設定された見合せ指示のデコードを行なう解析のため解析手段23が付加されている。
【００２６】
コントローラ21は、制御装置20内での処方データ等の通信、並びに、払出ユニット40及びシール装置50への分包データ30の通信と動作制御とを行なう。記憶手段22は、表示装置11において設定された処方データ等を記憶するものであり、ハードディスク等が具備されている。
【００２７】
解析手段23は、処方データのうち見合せ指示をデコードし、用法指示とあわせて払出ユニット40及びシール装置50が動作可能な分包データ30に変換するプログラムが具備されてなる。
【００２８】
ライブラリ24は、取得した分包機情報および通信状態等を記憶するものであり、前記ハードディスク等によってまかなわれる。
【００２９】
払出ユニット40及びシール装置50は、後述するように、見合せ指示に対して対応できるようにドライバ91のシーケンスが変更されている点の他は、従来と同様である。後述する処方登録プロセスにより登録された処方データはコントローラ21を介して記憶手段22に送られて記憶されるとともに、解析手段23で分包データ30に変換されて分包機90のドライバ91に送られる。ドライバ91は、この分包データを受けて払出ユニット40及びシール装置50を駆動する。
【００３０】
次に、処方に基づく分包指示のうち、見合せ指示の設定要領を説明する。用法指示の設定は従来と同様である。本実施の形態においては、見合せ指示を、符号化した４桁のアラビア数字(以下、単に数字ということがある)で表わして表示装置11において設定する。尚、以下の説明においては、服用時期としては、最も一般的である朝昼夕の態様にあわせているが、これに限定されず、他の刻限の指定があってもよい。
【００３１】
即ち、４桁の数字のうち、上位側から順に、処方日から数えて何日後から服用するかの日数(第１桁)、何日間隔で服用するかの日数(第２桁)、この服用態様(服用パターン)を繰返す回数(第３及び４桁)を設定するものとする。この4桁の数字は、薬剤ごとにそれぞれに対応して設定する。さらに、定型的用法との混在があってもよい。他方、一日ごとの用法は、従来と同様に設定されデコードされて用法指示される。そして、以下に説明するように、見合せ指示と用法指示とに従って、分包区画ごとに薬剤をあわせて分包する。
【００３２】
このように設定された処方データは、用法指示及び見合せ指示の何れも変換されて分包データとされ、この分包データに従って図４に示すように各薬剤7が、その内容7a、7b及び7cを、服用タイミングごとの分包区画3に併せて分包される。
【００３３】
このとき、表示装置11において、薬剤7aに対して「０００７」、薬剤7bに対して「１００７」、薬剤7cに対して「０１０３」(図３に例示)という設定がされたものとする。１日ごとの用法は、従来と同様の用法指示がされているものとする。
【００３４】
この設定に対して、図４に見合せ指示ＩＮＴのみを例示したように、見合せ指示ＩＮＴのうち、「０００７」によって薬剤7aは処方日：Ｍ月Ｄ日から毎日毎食後服用、「１００７」によって薬剤7bはＭ月Ｄ＋１日から毎朝食後のみの服用開始、「０１０３」によって薬剤7cは処方日から毎日朝及び夕ごと１日おきの服用を表わす。
【００３５】
図５は、このような表示装置11での設定を、添字ｘ、ｙ又はｚによって内容を区別した薬剤７を、服用タイミングごとに、即ち、朝昼夕別に、払出ユニット40及びシール装置50に対して制御可能又は駆動可能に指示できるデータ形態にデコードして変換した分包データの例(図４とは異なる)を示し、この分包データに対応して払出ユニット40及びシール装置50が受ける指示を示すブロックダイアグラムである。
【００３６】
該ブロックダイアグラムにおいて、分包データ：31x〜31z、32x〜32z、……、35x〜35z、……(総称して30)は、符号の１の位に示した文字１、２、……、Ａの順に図の右側へ向かって朝(Ｍ)、昼(Ｎ)、夕(Ｅ)……のように時間経過に沿って表現したものである。第Ｄ日と、第Ｄ＋１日の間で日付が変る。そして、同様の書法に従って、対応する払出し、及び、シールの符号をそれぞれ記述した。図中、線分はジョブの流れを示す。
【００３７】
例えば、分包データ31xは、薬剤の内容ｘを何月何日のいつの刻限の分として何錠払出すかを表わす。払出し41xは、その分包データ31xを実際に払出すよう錠剤カセッタに指示する。シール51は、払出し41x〜41zののち、これらをまとめて該当分包区画に投入し、シールする。
【００３８】
このように、払出ユニット40は前記分包データ30に従って、薬剤の払出し：41x〜41z、42x〜42z、……、45x〜45z、……を行い、シール装置50は前記分包データ30に従って、分包区画のシール：51、52、……、55、……を行なう。この例において、薬剤ｚは、特定の日である、第Ｄ日の翌日には服用しないので、第Ｄ＋１日には、朝昼と払出しされておらず、夕も同様に払出しされず(図示せず)、朝昼夕を通じて払出しされないことを示す。
【００３９】
前述したように、本実施の形態においては、服用開始日と、1日以上の服用見合せ日数と、見合せパターンの繰返し回数とを４桁のアラビア数字に割り当てるので、薬剤師による設定が容易であり、しかも、デコードして容易に分包データに変換できる。従って、非定型的用法が、1日以上の服用見合せである場合でも分包処理できる。
【００４０】
以上に説明した以外の点についての、分包処理全体のデータ設定・記憶及び解析・指示は、本制御方法が、以下に説明する各ステップを具備して各ステップに従って行われる。以下に列記するプロセスは、通常、システムの起動とともに、図８に示したフローチャートに従って行われる。
【００４１】
以下、フローチャートを簡単に説明する。各段階で参照する各プロセスの説明は、後述する。
【００４２】
コントローラ21が処方データを受けた場合、患者マスタ編集プロセス及びコードメンテナンスプロセスを参照して患者データ及び薬品データを分析(段階1030、1040)したのち、処方登録プロセスに処方データを登録する。
【００４３】
次に、処方データの用法指示及び見合せ指示を解析して用法及び服用パターンを確定する(段階1050、1060)。この用法及び服用パターンを薬剤ごとに、分包区画ごとにあわせて分包データに変換し(段階1070)、分包データをドライバ91に送信する。そして、払出ユニット40及びシール装置50は、この分包データに基づいて各薬剤を分包区画ごとに分包する。
【００４４】
以下、制御装置20における各プロセスを説明する。
【００４５】
処方登録プロセス
まず、処方に基づいて処方データ(用法指示及び見合せ指示)を制御装置20の処方登録12に設定して記憶手段22に登録する。そして、登録が完了した段階でコントローラ21は、解析処理プロセスへ解析要求をメッセージ通知する。
【００４６】
処方解析プロセス
次に、処方登録プロセスにより登録された処方データを解析手段23において解析する。処方データをデコードしてシーケンス命令として指示できるように分包単位のデータにまで細分化する。本プロセスは解析が完了した段階で、分包スケジュールプロセスに号機選択要求をメッセージ通知する。処方解析が終了した段階では、どの号機に分包データをダウンロードするかは未決定である。
【００４７】
分包スケジュールプロセス
次に、分包スケジュールプロセスでは、前記処方解析プロセスにより登録された分包データ30(31x,31y,31z,32x,32y,32z,……)を、どの分包機に振り分けるかを決定する。振り分ける号機が決定した段階で分包機通信プロセスに、号機番号を指定して分包要求をシーケンス命令としてメッセージ通知する。尚、本プロセスは、一回の処理要求に対してその時点で号機の割り振られていない全分包データを処理対象としている。
【００４８】
分包機通信プロセス
次に、分包スケジュールプロセスにより号機振り分けされた分包データ30を、各分包機にダウンロードし、払出し及びシールさせて薬剤を分包処理する。このプロセスはダウンロードする分包データが無くても、定期的(例えば、装置稼働中に４秒毎、非稼働中には３０秒毎)に分包機の状態を取得する。そして、取得した分包機情報および通信状態等は、本システムのライブラリ24内に所定の期間の間、登録する。
【００４９】
また、ダウンロードする分包データが、手撒き装置を使用する場合には、バーコードプリンタ通信プロセスに手撒き装置指示書出力イベントを通知する。
【００５０】
バーコードプリンタ通信プロセス
次に、分包機通信プロセスにより手撒き装置指示書出力イベントを受信した時、引き渡された号機番号とシーケンス命令番号を検索キーにして分包データを取得し、手撒き装置指示書データを、ＲＳ−２３２Ｃにて接続されたプリンタに出力する。
【００５１】
モニタプロセス
モニタプロセスは、分包機の分包状態およびエラー発生状況をモニタリングする。このモニタリングは、表示装置11において薬剤師が画面を切り替えて表示することができる。分包機通信プロセスがライブラリ24に登録した通信状況をリアルタイムで表示する。このプロセスはモニタ機能に加えて分包データの待ち状態(登録状態)も表示する。表示されている分包待ちデータの内容確認、指定データの分包優先が可能である。
【００５２】
また、分包機に対しての動作指示(一時停止、中止、開始等のイベント)を送信する機能も有している。動作指示の送信は分包機通信プロセスにイベントを通知することによって実現する。
【００５３】
充填管理プロセス
分包機内に装着されたカセッタと、カセッタ内に投入される薬品とを結び付けている薬品二次マスタの内容を表示し、更新するプロセスである。処理機能としては、新規登録、修正、削除、薬品充填、印刷を有する。また表示を任意の項目を検索キーとしてソートして行うことができる。
【００５４】
一括処理プロセス
処方箋登録プロセスにて処方箋を登録する際、一括処理対象となっているデータは分包データに登録されず、一括処理用分包データファイルに登録される。このプロセスはそのファイルに登録されているデータを、診療科と病棟とを検索キーにして取得し、分包データに移動させ分包スケジュループロセスに号機割り振りをイベントとして通知する。こののち分包スケジュールプロセスが、分包機通信プロセスに処理を指示する。従って、移動させた分包データ分が、包装されることになる。
【００５５】
システム設定プロセス
本プロセスは、表示装置11のシステム設定13において、分包機の接続／切断、分包機用コンフィグレーション値の設定、分包包装紙の印字フォーム設定等の機能を有する。そして、接続／切断の設定が行われた場合、このプロセスは分包機通信プロセスに対してその旨を通知する。
【００５６】
環境設定プロセス
本プロセスは、システム設定13において、本システムの動作環境を設定する。
大別すると３つの機能を有する。第一に、患者データの保存期間、登録処方箋の保存期間、解析ログを出力するか否か等のシステム設定機能、第二に、通信回線の設定機能、第三に、解析条件の設定機能がある。ここで設定した内容を処方解析プロセスが参照し、分包データを作成する。
【００５７】
患者マスタ編集プロセス
患者設定14において、患者のパーソナルデータを設定する。パーソナルデータとしては、患者名、年齢、性別、病棟、診療科、薬品名、薬品数、1日量、日数、用法(服用時期)が設定される。
【００５８】
コードメンテナンスプロセス
本システムで使用する各種マスタデータ(一次マスタ)のメンテナンスを行う。
メンテナンスのできるマスタデータには以下のものを格納している。即ち、薬品マスタ、用法マスタ、単位マスタ、剤形マスタ、診療科マスタ、病棟マスタ、医師マスタ、薬剤師マスタ、保守管理プロセス等である。そして、本システムで使用する各種マスタデータのバックアップ、リストア、コード出力（印刷）の機能を持つプロセスである。コード出力可能なマスタデータはコードメンテナンスで対象となるデータである。
【００５９】
以上説明したように、本制御方法によれば、同一の患者に対して、非定型的用法の処方の場合、及び、定型的用法と非定型的用法とが混在する処方の場合であっても分包機が自動的に分包処理できる。
【００６０】
従って、定型的用法及び非定型的用法が混在するような複雑な処方の場合であっても自動的に分包処理でき、手動分包を要しない。従って、分包機操作の熟練を要することなく、分包機を扱う通常の薬剤師でも本システムを充分操作できるので、本制御方法は、非定型の用法に従う分包処理を正確かつ迅速に、しかも、省力化して行なうことができる。また、分包機の装置構成的な改造又は機構・部品の追加は最低限ですむ利点もある。
【００６１】
実施の形態２
前記実施の形態１では、毎食後服用と一日以上の服用見合せとが混在するような場合を説明したが、例えば、従来技術の項で説明したＡ薬品の服用とＢ薬品の服用において、［表２］に示した処方の患者の場合のように、実施の形態１のような指示では対処しきれないことがある。即ち、月曜日と金曜日の朝だけが服用見合せとなっているので、実施の形態１のように1日以上の見合せを指定する方法では分包処理できない。
【表２】
0004571254.tif 000003
【００６２】
そこで、本実施の形態においては、処方データを曜日と服用時期との行列表示における見合せ指示(表２に、服用有りを「∨」印で示す)で表わし、分包機に指示する場合を説明する。図６は、本実施の形態にかかわる処方内容設定画面を表わす概略構成図であり、図７は、図６に示す分包指示形態を実現する分包データを示すブロックダイヤグラムである。以下に特に説明しない構成は、実施の形態１と同様である。
【００６３】
図６に示したように、本実施の形態では、Ｂ薬品剤に対して、例えば、月曜日の朝、金曜日の朝のように特定できるように曜日と服用時期との行列表示における見合せ表示を設定してＢ薬品を分包処理する。図７に示すように、Ｄ＋１日の朝Ｍのみ、薬剤ｚが払出されない。
【００６４】
このようにして、非定型的用法が、特定タイミングに服用を見合わせる場合でも特定タイミング毎の服用を、曜日と服用時期との行列表示で表わして分包指示できるので、例えば、腎臓人工透析が月曜日及び金曜日に設定されていて、その受診に関連した服用見合せが行われる場合でも自動的に分包処理でき、手作業は勿論のこと、薬剤師の熟練がなくとも分包処理できる。
【００６５】
【発明の効果】
本発明に係わる薬剤の分包機の制御方法及び分包システムは、見合せ指示と、用法指示とをあわせてなる分包指示を薬剤ごとに分包機に指示し、分包機が、当該薬剤ごとの分包指示に従って分包区画ごとに各薬剤をあわせて分包処理させるので、当該方法及び分包システムによれば、非定型的用法の処方の場合、又は、非定型的用法が定型的用法とともに同一の患者に対して混在する処方の場合であっても分包機が自動的に所要の薬剤を自動的に分包処理でき、手動分包を要しない。従って、分包機を扱える通常の薬剤師でも充分分包処理できる効果を奏する。
【００６６】
そして、特定日に服用しないという見合せ指示を、服用開始日と、服用の見合せ日数と、服用パターンの繰返し回数とで表わすことができるので、このとき、見合せ指示の設定が容易であり、分包データへの変換も容易であり、特定日に服用しないという用法が含まれる場合でも分包処理できる。
【００６７】
また、前記見合せ指示を曜日と服用時期との行列表示で表わすこともでき、このとき、特定タイミング毎の服用見合せを分包機に分包指示でき、特定タイミングのみ服用しない用法が含まれる場合でも分包処理できる。
【図面の簡単な説明】
【図１】本発明の一実施の形態に係わる分包機及びコントローラを示すブロック図。
【図２】本発明の一実施の形態に係わる分包システムの装置構成概要を示すブロック図。
【図３】本発明の一実施の形態による処方内容設定画面を示す概略構成説明図。
【図４】本発明の一実施の形態による分包指示形態を説明する概略構成説明図。
【図５】図４に示した分包指示形態を実現する分包データを示すブロックダイヤグラム。
【図６】本発明の他の実施の形態による処方内容設定画面を表わす概略構成説明図。
【図７】図６に示した分包指示形態を実現する分包データを示すブロックダイヤグラム。
【図８】本発明の一実施の形態にかかわる分包機の制御方法のフローチャート。
【図９】従来の分包機の外観を示す部分破断斜視図。
【図１０】従来の分包機のヒートシール装置の主要部を示す正面説明図。
【図１１】従来の分包品の例を示す平面説明図。
【符号の説明】
1…分包品、2…印字データ、3…包装区画、5…仕切り部、7…薬剤、11…表示装置、12…処方設定、20…制御装置、21…コントローラ、30…分包データ、40…払出ユニット、50…シール装置
【図１】
0004571254.tif 000004
【図２】
0004571254.tif 000005
【図３】
0004571254.tif 000006
【図４】
0004571254.tif 000007
【図５】
0004571254.tif 000008
【図６】
0004571254.tif 000009
【図７】
0004571254.tif 000010
【図８】
0004571254.tif 000011
【図９】
0004571254.tif 000012
【図１０】
0004571254.tif 000013
【図１１】
0004571254.tif 000014